(57)【要約】【課題】ダイニングテーブルの上面積を侵食することなく、ダイニングテーブルユニット部まわりの小物を出し入れしやすく置くことができる集合住宅の部屋構造を提供する。【解決手段】リビング・ダイニング・キッチン室１７を有する集合住宅の部屋構造において、キッチンユニット部２１とダイニングテーブルユニット部２３とが、平面視略長方形状に連続した状態で設けられ、キッチンユニット部２１の一側部は、室の壁面２７に接合されているとともに、キッチンユニット部２１の他側部は、床面１９から所定の高さで起立してダイニングテーブルユニット部２３を仕切る仕切り壁２５を挟んでダイニングテーブルユニット部２３と相互に固定され、仕切り壁２５は、ダイニングテーブルユニット部２３に臨む面に、壁内空間部３７を開放する開口部３９を有するとともに、開口部における壁内空間部３７の厚み方向である奥行方向には、収納棚４１が配置される。【選択図】  図２
0003235353.tif 000002
【実用新案登録請求の範囲】
【請求項１】
リビング室空間とダイニング室空間とキッチン室空間とが、連続した室空間として一部屋とされたリビング・ダイニング・キッチン室を有する集合住宅の部屋構造において、
前記リビング・ダイニング・キッチン室を構成する連続する床面の中間部分に、キッチンユニット部とダイニングテーブルユニット部とが、平面視略長方形状に連続した状態で設けられ、
前記キッチンユニット部の一側部は、室の壁面に接合されているとともに、前記キッチンユニット部の他側部は、前記床面から所定の高さで起立して前記ダイニングテーブルユニット部を仕切る所定厚さの仕切り壁を挟んで前記ダイニングテーブルユニット部と相互に固定され、
前記仕切り壁は、前記ダイニングテーブルユニット部に臨む面に、壁内空間部を開放する開口部を有するとともに、該開口部における壁内空間部の厚み方向である奥行方向には、収納棚が配置されることを特徴とする集合住宅の部屋構造。
【請求項２】
請求項１に記載の集合住宅の部屋構造であって、
前記床面からの高さが前記ダイニングテーブルユニット部の上面と同一高さとなって前記キッチンユニット部の後部に沿って配置され、前記ダイニングテーブルユニット部と平面視略Ｌ字形状に連続した状態で、前記ダイニングテーブルユニット部を後部から囲むようにカウンターテーブルが設けられ、
前記仕切り壁は、前記カウンターテーブルと前記ダイニングテーブルユニット部とに沿って平面視略Ｌ字形状に連続して形成されていることを特徴とする集合住宅の部屋構造。
【請求項３】
請求項１または２に記載の集合住宅の部屋構造であって、
前記収納棚が、前記ダイニングテーブルユニット部におけるテーブル天板の上面と連続する面を有していることを特徴とする集合住宅の部屋構造。
【考案の詳細な説明】
【技術分野】
【０００１】
本考案は、リビング室空間とダイニング室空間とキッチン室空間とが、連続した室空間として一部屋とされたリビング・ダイニング・キッチン室を有するマンションタイプの集合住宅の部屋構造に関する。
【背景技術】
【０００２】
キッチンユニット部及びカウンターが壁際に沿って連続して配設されるワンルームタイプマンションの部屋構造が知られている（特許文献１参照）。
【０００３】
また、リビング室空間とダイニング室空間とキッチン室空間とが、連続した室空間として一部屋とされたリビング・ダイニング・キッチン室を有するマンションタイプの集合住宅の部屋構造が知られている（特許文献２参照）。この集合住宅の部屋構造は、リビング・ダイニング・キッチン室を構成する連続する床面の中間部分に、キッチンユニット部とダイニングテーブルユニット部とが、平面視略長方形状に連続して相互に固定された状態で設けられる。キッチンユニット部の一側部は、室の仕切壁の面に接合されているとともに、キッチンユニット部及びダイニングテーブルユニット部の他の周囲である、前部と後部及び側端部は、連続する床面の側に開放されて人が移動可能な床空間とされている。この集合住宅の部屋構造によれば、リビング室空間とダイニング室空間とキッチン室空間とを連続した室空間として一部屋の大空間として確保し、その大空間の床面の中間部分に、キッチンユニット部とダイニングテーブルユニット部とを一体として配設させることにより、集まりの中心として、その周囲の床空間部分を、比較的多人数の集まりにも便利な、まとまりの良い部屋空間とすることができる。
【先行技術文献】
【特許文献】
【０００４】
【特許文献１】特開２００９−１１４７６８号公報
【特許文献２】実用新案登録第３１７３３５０号公報
【考案の概要】
【考案が解決しようとする課題】
【０００５】
しかしながら、従来の集合住宅の部屋構造は、大空間の床面の中間部分に、キッチンユニット部とダイニングテーブルユニット部とを一体として配設するが、これまではダイニングテーブルユニット部には収納部分がなかった。このため、ダイニングテーブルにありがちな雑多な小物、例えば、調味料やリモコン、筆記具、ティッシュ箱などが乱雑に置かれ、ダイニングテーブルを綺麗に保ちにくい問題があった。別途収納箱などを用意し、まとめることも可能であるが、その収納箱を置く分、テーブル天板の有効な上面積を狭めることになった。
【０００６】
本考案は上記状況に鑑みてなされたもので、その目的は、ダイニングテーブルユニット部におけるテーブル天板の上面積を侵食することなく、ダイニングテーブルユニット部まわりの小物を出し入れしやすく置くことができる集合住宅の部屋構造を提供することにある。
【課題を解決するための手段】
【０００７】
次に、上記の課題を解決するための手段を、実施の形態に対応する図面を参照して説明する。
本考案の請求項１記載の集合住宅の部屋構造は、リビング室空間１１とダイニング室空間１３とキッチン室空間１５とが、連続した室空間として一部屋とされたリビング・ダイニング・キッチン室１７を有する集合住宅の部屋構造において、
前記リビング・ダイニング・キッチン室１７を構成する連続する床面１９の中間部分に、キッチンユニット部２１とダイニングテーブルユニット部２３とが、平面視略長方形状に連続した状態で設けられ、
前記キッチンユニット部２１の一側部は、室の壁面２７に接合されているとともに、前記キッチンユニット部２１の他側部は、前記床面１９から所定の高さで起立して前記ダイニングテーブルユニット部２３を仕切る所定厚さの仕切り壁２５を挟んで前記ダイニングテーブルユニット部２３と相互に固定され、
前記仕切り壁２５は、前記ダイニングテーブルユニット部２３に臨む面に、壁内空間部３７を開放する開口部３９を有するとともに、該開口部３９における壁内空間部３７の厚み方向である奥行方向には、収納棚４１が配置されることを特徴とする。
【０００８】
この集合住宅の部屋構造では、キッチンユニット部２１の他側部が、床面１９から所定の高さで起立した仕切り壁２５により、ダイニングテーブルユニット部２３と仕切られる。すなわち、キッチンユニット部２１とダイニングテーブルユニット部２３とは、仕切り壁２５を挟んで相互に固定される。仕切り壁２５は、所定の厚みを有し、ダイニングテーブルユニット部２３に臨む面に、壁内空間部３７を開放する開口部３９を有する。すなわち、キッチンユニット部２１の横である他側部に、仕切り壁２５の厚み分を利用して、仕切り壁２５の一部をくぼめた凹状部を壁内空間部３７を奥行として収納棚４１が設けられる。収納棚４１は、壁内空間部３７の開口部３９を通じて小物５０を出し入れすることにより、ダイニングテーブルユニット部２３まわりの小物５０を整理整頓できる。
【０００９】
本考案の請求項２記載の集合住宅の部屋構造は、請求項１に記載の集合住宅の部屋構造であって、
前記床面１９からの高さが前記ダイニングテーブルユニット部２３の上面と同一高さとなって前記キッチンユニット部２１の後部に沿って配置され、前記ダイニングテーブルユニット部２３と平面視略Ｌ字形状に連続した状態で、前記ダイニングテーブルユニット部２３を後部から囲むようにカウンターテーブル４７が設けられ、
前記仕切り壁２５は、前記カウンターテーブル４７と前記ダイニングテーブルユニット部２３とに沿って平面視略Ｌ字形状に連続して形成されていることを特徴とする。
【００１０】
この集合住宅の部屋構造では、カウンターテーブル４７が、キッチンユニット部２１の後部に沿って配置され、ダイニングテーブルユニット部２３と平面視略Ｌ字形状に連続した状態で、ダイニングテーブルユニット部２３を後部から囲むように設けられる。キッチンユニット部２１は、カウンターテーブル４７及びダイニングテーブルユニット部２３の間に設けられた平面視略Ｌ字形状の仕切り壁２５により囲まれる。ダイニングテーブルユニット部２３のテーブル天板４３は、キッチンユニット部２１の後部に沿うカウンターテーブル４７が、平面視略Ｌ字形状となって連続する。これにより、ダイニングテーブルユニット部２３におけるテーブル天板４３の上面は、カウンターテーブル４７の上面が連続することにより、カウンターテーブル４７の延在方向に直交する方向のテーブル天板幅方向の寸法を大きく確保できる。
【００１１】
本考案の請求項３記載の集合住宅の部屋構造は、請求項１または２に記載の集合住宅の部屋構造であって、
前記収納棚４１が、前記ダイニングテーブルユニット部２３におけるテーブル天板４３の上面と連続する面を有していることを特徴とする。
【００１２】
この集合住宅の部屋構造では、収納棚４１が、ダイニングテーブルユニット部２３におけるテーブル天板４３の上面と連続する面を有する。すなわち、ダイニングテーブルユニット部２３のテーブル天板４３を、仕切り壁２５につきさす形に収めることで、テーブル天板４３の上面と段差なく、収納棚４１を設けることができる。つまり、収納棚４１の底板４８上面がテーブル天板４３と同一面となり、テーブル天板４３の一部が収納棚４１となる。
【考案の効果】
【００１３】
本考案に係る請求項１記載の集合住宅の部屋構造によれば、仕切り壁に収納棚を設けたことで、ダイニングテーブルユニット部におけるテーブル天板の上面積を侵食することなく、ダイニングテーブルユニット部まわりの小物を出し入れしやすく置くことができ、テーブル天板の上面を乱雑にせずに綺麗に保てる。
【００１４】
本考案に係る請求項２記載の集合住宅の部屋構造によれば、カウンターテーブルがテーブル天板に連続することにより、テーブル天板の上面積を違和感なく拡大できるとともに、例えばカウンターテーブルを配膳時の仮置きスペースとして利用することで、食膳を配りやすくできる。また、カウンターテーブルを挟んでキッチンユニット部と反対側に位置する通路の傍らで、花瓶等の置物をカウンターテーブルに置くことができ、リビング・ダイニング・キッチン室を簡便に装飾できる。
【００１５】
本考案に係る請求項３記載の集合住宅の部屋構造によれば、テーブル天板の上面と、収納棚の底板上面とが段差のない連続した面となるので、小物が取り出しやすく、かつ収納しやすくなる。また、テーブル天板の上面と共に、収納棚の底板上面を一度に掃除することができ、収納棚の上面を綺麗に保ちやすくできる。
【図面の簡単な説明】
【００１６】
【図１】本考案の実施形態に係る集合住宅の部屋構造の平面図である。
【図２】図１に示した集合住宅の部屋構造における要部の斜視図である。
【図３】図２の要部拡大斜視図である。
【図４】壁内空間部を壁面に垂直な縦方向で断面とした断面図である。
【考案を実施するための形態】
【００１７】
以下、本考案に係る実施形態を図面を参照して説明する。
図１は、本考案の実施形態に係る集合住宅の部屋構造の平面図である。
本実施形態に係る集合住宅の部屋構造は、例えばマンションの一住戸の部屋構造に適用される。この部屋構造は、矩形の平面形状を有し、左右両外壁の間に、この例では、３ＬＤＫタイプの部屋割を有している。
【００１８】
この、一住戸の部屋構造には、リビング室空間１１とダイニング室空間１３とキッチン室空間１５とが、連続した室空間として一部屋とされたリビング・ダイニング・キッチン室１７を有している。
【００１９】
リビング・ダイニング・キッチン室１７を構成する連続する床面１９の中間部分に、キッチンユニット部２１とダイニングテーブルユニット部２３とが、平面視略長方形状に連続して相互に固定された状態で設けられている。キッチンユニット部２１とダイニングテーブルユニット部２３とは、対向する側端部同士が、仕切り壁２５を介して相互に固定されて、平面視略長方形状に連続している。
【００２０】
キッチンユニット部２１の一側部は、室の壁面２７に接合されているとともに、キッチンユニット部２１及びダイニングテーブルユニット部２３の他の周囲である、前部と後部及び側端部は、前記連続する床面１９の側に開放されて人が移動又は集合可能な床空間とされている。ダイニングテーブルユニット部２３の長さは、図１に示すように、その前部と後部に２個の腰掛け椅子２９が並設される長さとすれば良い。
【００２１】
キッチンユニット部２１は、その上面に、シンク３１とコンロ３３とが設けられ、コンロ３３の上部には、排気フード３５（図２参照）が設けられている。
【００２２】
キッチンユニット部２１の他側部は、床面１９から所定の高さで起立してダイニングテーブルユニット部２３を仕切る仕切り壁２５を挟んでダイニングテーブルユニット部２３と相互に固定されている。
【００２３】
図２は、図１に示した集合住宅の部屋構造における要部の斜視図である。
仕切り壁２５は、ダイニングテーブルユニット部２３に臨む面に、壁内空間部３７を開放する開口部３９を有する。
【００２４】
図３は、図２の要部拡大斜視図である。
仕切り壁２５は所定の厚さで形成され、開口部３９における壁内空間部３７の厚み方向を奥行として収納棚４１が配置される。本実施形態において、収納棚４１は、棚板４６を有する上下２段の収納部４４，４５を備えた構成とされる。下段収納部４５は、ダイニングテーブルユニット部２３におけるテーブル天板４３の上面と連続する面を有している。なお、収納棚４１は、収納部４４，４５内にコンセントが設けられていてもよい。
【００２５】
集合住宅の部屋構造は、床面１９からの高さがダイニングテーブルユニット部２３におけるテーブル天板４３の上面と同一高さとなってキッチンユニット部２１の後部に沿って配置されるカウンターテーブル４７を有する。カウンターテーブル４７は、ダイニングテーブルユニット部２３と平面視略Ｌ字形状に連続した状態で、ダイニングテーブルユニット部２３を後部から囲むように設けられる。つまり、テーブル天板４３とカウンターテーブル４７とは、平面視略Ｌ字形状となった同一平面の上面を有する。
【００２６】
仕切り壁２５は、キッチンユニット部２１と、カウンターテーブル４７及びダイニングテーブルユニット部２３とを仕切って、キッチンユニット部２１を囲うようにして平面視略Ｌ字形状に連続する。
【００２７】
図４は、壁内空間部３７を壁面２７に垂直な縦方向で断面とした断面図である。
キッチンユニット部２１の上面であるキッチン天板４９は、テーブル天板４３の上面よりも高い。テーブル天板４３の上面は、床面１９から例えば７００ｍｍとなる。キッチン天板４９の上面は、床面１９から例えば９００ｍｍとなる。つまり、テーブル天板４３とキッチン天板４９とは、２００ｍｍの段差を有する。仕切り壁２５の上面は、キッチン天板４９の上面よりも高い。仕切り壁２５の上面は、床面１９から例えば１０５０ｍｍとなる。従って、仕切り壁２５は、テーブル天板４３の上面から３５０ｍｍの高さで起立する。また、仕切り壁２５は、キッチン天板４９の上面から１５０ｍｍの高さで起立する。
【００２８】
仕切り壁２５は、キッチン天板４９から所定の高さで起立し、主にシンク３１を囲っていることにより、カウンターテーブル４７やダイニングテーブルユニット部２３への水はねを抑制する。
【００２９】
仕切り壁２５は、例えば厚さ８０〜９０ｍｍとされる。仕切り壁２５に設けられる壁内空間部３７の開口部３９は、テーブル天板４３の上面から例えば２６０ｍｍ程度の高さ、３７０ｍｍ程度の間口幅で開口される。収納棚４１は、上段収納部４４を高さ１００ｍｍ程度、下段収納部４５を１４０ｍｍ程度とし、厚さ２０ｍｍ程度の棚板４６にて仕切られる。この棚板４６は、着脱自在であっても、固定されていてもよい。棚板４６は、着脱自在とすることにより、より掃除しやすくできる。棚板４６は、開口部３９よりも数ｍｍ〜１０ｍｍ程度外側、つまり手前側に延出させ、左右角部をＲとすることにより、載置面積を増やし収納量を増やすこともできる。また、この棚板４６は、２枚など複数枚構成としてもよく、さらには収納棚４１内で垂直な仕切板などを備える構成としてもよい。
【００３０】
壁内空間部３７は、収納棚４１の奥側に、開口部３９とほぼ同一面積の棚背板５１が設けられる。棚背板５１から開口部３９までは、例えば６０〜７０ｍｍ程度の奥行き寸法とされる。棚背板５１は、タイル柄や木目柄など各種デザインのものを、交換自在に取り付けることができる。また、棚背板５１は、光源からの光を板端面から入射させて板表面から出射させる面発光式の照明板や、有機としてもよい。
【００３１】
仕切り壁２５のキッチンユニット部２１側には、キッチン側内壁板５３が設けられる。仕切り壁２５の上端には、笠木板５５が設けられる。笠木板５５の幅は、例えば１２０〜１３０ｍｍ程度となる。笠木板５５は、開口部３９が設けられた仕切り壁２５の面から僅かに突出（オーバーハング）する。なお、上記した各寸法は、一例である。
【００３２】
この、一住戸の部屋構造には、リビング・ダイニング・キッチン室１７の他、玄関５７、浴室５９、トイレ６１、洗面化粧室６３等が設けられているが、その構成と機能は、従来のものと同様である。
【００３３】
次に、上記した構成の作用を説明する。
【００３４】
本実施形態に係る集合住宅の部屋構造では、キッチンユニット部２１の他側部が、床面１９から所定の高さで起立した仕切り壁２５により、ダイニングテーブルユニット部２３と仕切られる。すなわち、キッチンユニット部２１とダイニングテーブルユニット部２３とは、仕切り壁２５を挟んで相互に固定される。ここで、キッチンユニット部２１の上面はテーブル天板４３の上面よりも高い。仕切り壁２５の上面は、キッチン天板４９の上面よりも高い。
【００３５】
仕切り壁２５は、ダイニングテーブルユニット部２３に臨む面に、壁内空間部３７を開放する開口部３９を有する。すなわち、キッチンユニット部２１の横（他側部）に、仕切り壁２５の厚み分を利用して、仕切り壁２５の一部をくぼめた凹状部、つまり壁内空間部３７によって構成される収納棚４１が設けられる。開口部３９を有した壁内空間部３７、つまり収納棚４１は、所謂ニッチと称すことができる。
【００３６】
壁内空間部３７に構成される収納棚４１は、開口部３９を通じて小物５０を出し入れ可能とすることにより、ダイニングテーブルユニット部２３まわりの小物５０を整理整頓できる。ダイニングテーブルユニット部２３まわりの小物５０としては、例えばティッシュやウェットティッシュ、醤油などの調味料、カトラリーセット、リモコン、お菓子、小型ラジオ、無線接続可能なスピーカーセットなどが挙げられる。例えば、一般的な箱型ティッシュであれば短幅寸法が１１０〜１２０ｍｍとされ、図３に示すように下段収納部４５に横向きに収納可能となる。小型ラジオや無線接続可能なスピーカーセットは、収納部４４，４５に設けたコンセントより給電を可能とすることができる。また、このコンセントは、卓上調理器等の電源コードを床を這わさずに接続することができる。また、収納棚４１は、仕切り壁２５の壁面が凹状となる。このため、内方に配置した上述のラジオ等の音源は、ダイニングテーブルユニット部２３に向けて指向性を持たせた音を出力でき、特にダイニングテーブルユニット部２３において聴き取りやすくすることが可能となる。
【００３７】
また、この集合住宅の部屋構造では、カウンターテーブル４７が、キッチンユニット部２１の後部に沿って配置され、ダイニングテーブルユニット部２３と平面視略Ｌ字形状に連続した状態で、ダイニングテーブルユニット部２３を後部から囲むように設けられる。キッチンユニット部２１は、カウンターテーブル４７及びダイニングテーブルユニット部２３の間に設けられた平面視略Ｌ字形状の仕切り壁２５により囲まれる。
【００３８】
ダイニングテーブルユニット部２３のテーブル天板４３は、キッチンユニット部２１の後部に沿うカウンターテーブル４７が、平面視略Ｌ字形状となって連続する。これにより、ダイニングテーブルユニット部２３におけるテーブル天板４３の上面は、カウンターテーブル４７の上面が連続することにより、カウンターテーブル４７の延在方向に直交する方向のテーブル天板幅方向の寸法を大きく確保できる。その結果、カウンターテーブル４７がテーブル天板４３に連続することにより、テーブル天板４３の上面積を違和感なく拡大できるとともに、例えば、カウンターテーブル４７を配膳時の仮置きスペースとして利用することで、食膳を配りやすくできる。また、カウンターテーブル４７を挟んでキッチンユニット部２１と反対側に位置する通路の傍らで、花瓶等の置物をカウンターテーブル４７に置くことができ、リビング・ダイニング・キッチン室１７を簡便に装飾できる。
【００３９】
また、この集合住宅の部屋構造では、収納棚４１が、ダイニングテーブルユニット部２３におけるテーブル天板４３の上面と連続する面を有する。すなわち、ダイニングテーブルユニット部２３のテーブル天板４３を、仕切り壁２５につきさすような形に収めることで、テーブル天板４３の上面と段差なく、収納棚４１の底板４８上面を設けることができる。つまり、テーブル天板４３の一部が下段収納部４５の底板４８となる。その結果、テーブル天板４３の上面と、収納棚４１の底板４８上面とが段差のない連続した面となるので、小物５０が取り出しやすく、かつ収納しやすくなる。また、テーブル天板４３の上面とともに、底板４８の上面を一度に掃除することができ、収納棚４１を綺麗に保ちやすくできる。
【００４０】
従って、本実施形態に係る集合住宅の部屋構造によれば、ダイニングテーブルユニット部２３におけるテーブル天板４３の上面積を侵食することなく、ダイニングテーブルユニット部２３まわりの小物５０を出し入れしやすく収納し置くことができ、テーブル天板４３の上面を乱雑にせずに、掃除しやすくして綺麗に保てる。
【符号の説明】
【００４１】
１１…リビング室空間
１３…ダイニング室空間
１５…キッチン室空間
１７…リビング・ダイニング・キッチン室
１９…床面
２１…キッチンユニット部
２３…ダイニングテーブルユニット部
２５…仕切り壁
２７…壁面
３７…壁内空間部
３９…開口部
４１…収納棚
４３…テーブル天板
４７…カウンターテーブル
【図１】
0003235353.tif 000003
【図２】
0003235353.tif 000004
【図３】
0003235353.tif 000005
【図４】
0003235353.tif 000006